(57)【要約】少ない情報量を用いて効率的に情報配信を行うことができる情報配信システムを提供することを目的とする。本発明にかかる情報配信システムは、情報配信を行う配信サーバ（１０）と、配信サーバ（１０）から配信された情報を出力する通信端末（４０）とを備える。配信サーバ（１０）は、通信端末（４０）において出力させる出力情報を構成する複数の語句を識別する複数の語句識別情報を含むテキスト情報を（４０）通信端末へ送信し、通信端末（４０）は、配信サーバ（１０）から送信されたテキスト情報に含まれる語句識別情報を抽出し、語句識別情報に対応する語句を組み合わせて生成された出力情報を出力するものである。
2015011873.tif 000002
【特許請求の範囲】
【請求項１】
情報配信を行う配信サーバと、前記配信サーバから配信された情報を出力する通信端末とを備える情報配信システムであって、  前記配信サーバは、  前記通信端末において出力させる出力情報を構成する複数の語句を識別する複数の語句識別情報を含むテキスト情報を前記通信端末へ送信し、  前記通信端末は、  前記配信サーバから送信された前記テキスト情報に含まれる語句識別情報を抽出し、前記語句識別情報に対応する前記語句を組み合わせて生成された前記出力情報を出力する、情報配信システム。
【請求項２】
前記出力情報は、音声情報であって、  前記通信端末は、  前記語句識別情報に対応する語句の音声ファイルを組み合わせて生成された前記音声情報を出力する、請求項１に記載の情報配信システム。
【請求項３】
前記複数の語句識別情報は、  前記出力情報の文章フォーマットに関するベース情報と、前記文章フォーマットに組み込まれる語句に関する組み込み情報と、を含む、請求項１又は２に記載の情報配信システム。
【請求項４】
前記配信サーバは、  第１の出力情報を構成する複数の語句を識別する複数の語句識別情報を含む第１の語句識別情報グループと、第２の出力情報を構成する複数の語句を識別する複数の語句識別情報を含む第２の語句識別情報グループと、を含む前記テキスト情報を前記通信端末へ送信し、  前記通信端末は、  前記第１の語句識別情報グループ又は前記第２の語句識別情報グループを選択し、選択したグループに含まれる語句識別情報に対応する前記語句を組み合わせて生成された前記出力情報を出力する、請求項１乃至３のいずれか１項に記載の情報配信システム。
【請求項５】
前記配信サーバは、  前記テキスト情報に複数の前記語句識別情報グループを含める場合、それぞれの語句識別情報グループを受理すべき端末を指定する情報を前記通信端末へ送信し、  前記通信端末は、  指定された前記受理すべき端末に該当するか否かを判定し、判定結果に応じて前記語句識別情報グループの受理処理を実行する、請求項４に記載の情報配信システム。
【請求項６】
前記配信サーバは、  前記受理すべき端末として、前記通信端末が満たすべき移動特性を指定する、請求項５に記載の情報配信システム。
【請求項７】
前記通信端末は、  出力する言語を選択し、前記選択した言語に応じた前記語句を組み合わせて生成された前記出力情報を出力する、請求項１乃至６のいずれか１項に記載の情報配信システム。
【請求項８】
前記配信サーバは、  ブロードキャスト通信を用いて前記テキスト情報を前記通信端末へ配信する、請求項１乃至７のいずれか１項に記載の情報配信システム。
【請求項９】
前記ブロードキャスト通信は、  ＣＢＳ（Cell Broadcast System）又はＭＢＭＳ（Multicast Broadcast Multimedia System）を用いる、請求項８に記載の情報配信システム。
【請求項１０】
通信端末へ情報配信を行う配信サーバであって、  前記通信端末において出力させる出力情報を構成する複数の語句を識別する複数の語句識別情報を含むテキスト情報を前記通信端末へ送信し、前記通信端末において、前記複数の誤記識別情報に対応する前記語句を組み合わせて生成された前記出力情報を出力させる文書作成手段を備える配信サーバ。
【請求項１１】
前記複数の語句識別情報は、  前記出力情報の文章フォーマットに関するベース情報と、前記文章フォーマットに組み込まれる語句に関する組み込み情報と、を含む、請求項１０に記載の配信サーバ。
【請求項１２】
前記文書作成手段は、  第１の出力情報を構成する複数の語句を識別する複数の語句識別情報を含む第１の語句識別情報グループと、第２の出力情報を構成する複数の語句を識別する複数の語句識別情報を含む第２の語句識別情報グループと、を含む前記テキスト情報を前記通信端末へ送信する、請求項１０又は１１に記載の配信サーバ。
【請求項１３】
前記文書作成手段は、  前記テキスト情報に複数の前記語句識別情報グループを含める場合、それぞれの語句識別情報グループを受理すべき端末を指定する情報を前記通信端末へ送信する、請求項１２に記載の配信サーバ。
【請求項１４】
前記文書作成手段は、  前記受理すべき端末として、前記通信端末が満たすべき移動特性を指定する、請求項１３に記載の配信サーバ。
【請求項１５】
前記文書作成手段は、  ブロードキャスト通信を用いて前記テキスト情報を前記通信端末へ配信する、請求項１０乃至１４のいずれか１項に記載の配信サーバ。
【請求項１６】
前記ブロードキャスト通信は、  ＣＢＳ（Cell Broadcast System）又はＭＢＭＳ（Multicast Broadcast Multimedia System）を用いる、請求項１５に記載の配信サーバ。
【請求項１７】
情報配信を行う配信サーバから配信された情報を出力する通信端末であって、  前記配信サーバから送信された複数の語句を識別する複数の語句識別情報を含むテキスト情報を受信する受信手段と、  前記テキスト情報に含まれる前記語句識別情報を抽出し、前記語句識別情報に対応する前記語句を組み合わせて生成された出力情報を出力する出力手段と、を備える通信端末。
【請求項１８】
前記出力情報は、音声情報であって、  前記出力手段は、  前記語句識別情報に対応する語句の音声ファイルを組み合わせて生成された前記音声情報を出力する、請求項１７に記載の通信端末。
【請求項１９】
前記受信手段は、  第１の出力情報を構成する複数の語句を識別する複数の語句識別情報を含む第１の語句識別情報グループと、第２の出力情報を構成する複数の語句を識別する複数の語句識別情報を含む第２の語句識別情報グループと、を含む前記テキスト情報を受信し、前記第１の語句識別情報グループ又は前記第２の語句識別情報グループを選択し、選択したグループに含まれる語句識別情報に対応する前記語句を組み合わせて生成された前記出力情報を出力する、請求項１７又は１８に記載の通信端末。
【請求項２０】
前記受信手段は、  前記第１及び第２の語句識別情報グループを受理すべき端末を指定する情報を受信すると、指定された前記受理すべき端末に該当するか否かを判定し、判定結果に応じて前記第１又は第２の語句識別情報グループの受理処理を実行する、請求項１９に記載の通信端末。
【請求項２１】
前記出力手段は、  出力する言語を選択し、前記選択した言語に応じた前記語句を組み合わせて生成された前記出力情報を出力する、請求項１７乃至２０のいずれか１項に記載の通信端末。
【請求項２２】
通信端末へ情報配信を行う配信サーバにおける情報配信方法であって、  前記通信端末において出力させる出力情報を構成する複数の語句を抽出し、  前記複数の語句を識別する複数の語句識別情報を含むテキスト情報を前記通信端末へ送信して前記通信端末において、前記複数の誤記識別情報に対応する前記語句を組み合わせて生成された前記出力情報を出力させる、情報配信方法。
【請求項２３】
情報配信を行う配信サーバから配信された情報を出力する情報出力方法であって、  前記配信サーバから送信された複数の語句を識別する複数の語句識別情報を含むテキスト情報を受信し、  前記テキスト情報に含まれる前記語句識別情報を抽出し、  前記語句識別情報に対応する前記語句を組み合わせて生成された出力情報を出力する、情報出力方法。
【請求項２４】
通信端末へ情報配信を行うコンピュータに実行させるプログラムが格納された非一時的なコンピュータ可読媒体であって、  前記通信端末において出力させる出力情報を構成する複数の語句を抽出するステップと、  前記複数の語句を識別する複数の語句識別情報を含むテキスト情報を前記通信端末へ送信して前記通信端末において、前記複数の誤記識別情報に対応する前記語句を組み合わせて生成された前記出力情報を出力させるステップと、をコンピュータに実行させるプログラムが格納された非一時的なコンピュータ可読媒体。
【請求項２５】
情報配信を行う配信サーバから配信された情報を出力するコンピュータに実行させるプログラムが格納された非一時的なコンピュータ可読媒体であって、  前記配信サーバから送信された複数の語句を識別する複数の語句識別情報を含むテキスト情報を受信するステップと、  前記テキスト情報に含まれる前記語句識別情報を抽出するステップと、  前記語句識別情報に対応する前記語句を組み合わせて生成された出力情報を出力するステップと、をコンピュータに実行させるプログラムが格納された非一時的なコンピュータ可読媒体。
【発明の詳細な説明】
【技術分野】
【０００１】  本発明は情報配信システムに関し、例えばネットワークを介して通信端末へ情報配信を行う情報配信システムに関する。
【背景技術】
【０００２】  現在、ネットワークを介して情報配信を行う情報配信システムとして、様々な方式もしくは技術が用いられている。例えば、移動通信端末へ災害情報等の緊急情報を配信するために、Cell Broadcast Service（ＣＢＳ）が用いられている。ＣＢＳは、情報配信元装置から送信された情報を、基地局が管理するセル単位に情報を配信するサービスである。つまり、ＣＢＳを用いることによって、セルに在圏する全ての通信端末に対して同一の情報を送信することが出来る。これによって、セルに在圏する全ての通信端末は、基地局を介して同一の情報を受信することが出来る。ＣＢＳのネットワーク構成及びＣＢＳを構成する各装置の動作等は、例えば非特許文献１に開示されている。【０００３】  また、ＣＢＳにおいては、一度の同報配信で最大９６００ｂｙｔｅのテキストメッセージを送信することができる。
【先行技術文献】
【非特許文献】
【０００４】
【非特許文献１】3GPP TS 23.041 V12.2.0 (2013-06) 3rd Generation Partnership Project; Technical Specification Group Core Network and Terminals; Technical realization of Cell Broadcast Service (CBS) (Release 12)
【発明の概要】
【発明が解決しようとする課題】
【０００５】  しかし、ＣＢＳは、テキストメッセージを送信するために用いられるため、音声情報、画像情報等を送信することはできないという問題がある。さらに、ＣＢＳにおいては、一度に同報配信することができるテキストメッセージの容量が９６００ｂｙｔｅと定められているため、９６００ｂｙｔｅを超える情報量を有するテキストメッセージを送信することができないという問題がある。また、ＣＢＳに限らず、テキストメッセージを送信するために用いられるシステム、例えば、ＳＭＳ等においても、送信することができるテキストメッセージの情報量の上限が定められているため、定められた上限を超える情報量を有するテキストメッセージを送信することができないという問題がある。【０００６】  本発明の目的は、上述した課題の少なくとも１つを解決するために、少ない情報量を用いて効率的に情報配信を行うことができる情報配信システム、配信サーバ、通信端末、情報配信方法、情報出力方法及びプログラムを提供することにある。
【課題を解決するための手段】
【０００７】  本発明の第１の態様にかかる情報配信システムは、情報配信を行う配信サーバと、前記配信サーバから配信された情報を出力する通信端末とを備える情報配信システムであって、前記配信サーバは、前記通信端末において出力させる出力情報を構成する複数の語句を識別する複数の語句識別情報を含むテキスト情報を前記通信端末へ送信し、前記通信端末は、前記配信サーバから送信された前記テキスト情報に含まれる語句識別情報を抽出し、前記語句識別情報に対応する前記語句を組み合わせて生成された前記出力情報を出力するものである。【０００８】  本発明の第２の態様にかかる配信サーバは、通信端末へ情報配信を行う配信サーバであって、前記通信端末において出力させる出力情報を構成する複数の語句を識別する複数の語句識別情報を含むテキスト情報を前記通信端末へ送信し、前記通信端末において、前記複数の誤記識別情報に対応する前記語句を組み合わせて生成された前記出力情報を出力させる文書作成部を備えるものである。【０００９】  本発明の第３の態様にかかる通信端末は、情報配信を行う配信サーバから配信された情報を出力する通信端末であって、前記配信サーバから送信された複数の語句を識別する複数の語句識別情報を含むテキスト情報を受信する受信部と、前記テキスト情報に含まれる前記語句識別情報を抽出し、前記語句識別情報に対応する前記語句を組み合わせて生成された出力情報を出力する出力部と、を備えるものである。【００１０】  本発明の第４の態様にかかる情報配信方法は、通信端末へ情報配信を行う配信サーバにおける情報配信方法であって、前記通信端末において出力させる出力情報を構成する複数の語句を抽出し、前記複数の語句を識別する複数の語句識別情報を含むテキスト情報を前記通信端末へ送信して前記通信端末において、前記複数の誤記識別情報に対応する前記語句を組み合わせて生成された前記出力情報を出力させるものである。【００１１】  本発明の第５の態様にかかる情報出力方法は、情報配信を行う配信サーバから配信された情報を出力する情報出力方法であって、前記配信サーバから送信された複数の語句を識別する複数の語句識別情報を含むテキスト情報を受信し、前記テキスト情報に含まれる前記語句識別情報を抽出し、前記語句識別情報に対応する前記語句を組み合わせて生成された出力情報を出力するものである。【００１２】  本発明の第６の態様にかかるプログラムは、通信端末へ情報配信を行うコンピュータに実行させるプログラムであって、前記通信端末において出力させる出力情報を構成する複数の語句を抽出するステップと、前記複数の語句を識別する複数の語句識別情報を含むテキスト情報を前記通信端末へ送信して前記通信端末において、前記複数の誤記識別情報に対応する前記語句を組み合わせて生成された前記出力情報を出力させるステップと、をコンピュータに実行させるものである。
【発明の効果】
【００１３】  本発明によって、少ない情報量を用いて効率的に情報配信を行うことができる情報配信システム、配信サーバ、通信端末、情報配信方法、情報出力方法及びプログラムを提供することができる。
【図面の簡単な説明】
【００１４】
【図１】実施の形態１にかかる情報配信システムの構成図である。
【図２】実施の形態２にかかる情報配信システムの構成図である。
【図３】実施の形態２にかかる配信サーバの構成図である。
【図４】実施の形態２にかかる語句データベースが管理する情報を示す図である。
【図５】実施の形態２にかかる配信サーバが送信するテキスト情報を示す図である。
【図６】実施の形態２にかかる通信端末の構成図である。
【図７】実施の形態２にかかる語句音源データベースが管理する情報を示す図である。
【図８】実施の形態２にかかる音声データ合成部が生成する情報を示す図である。
【図９】実施の形態２にかかる情報配信処理の流れを説明する図である。
【図１０】実施の形態２にかかる情報配信処理の流れを説明する図である。
【図１１】実施の形態２にかかるサービス例を示す図である。
【図１２】実施の形態２にかかる情報配信システムの構成図である。
【図１３】実施の形態２にかかる情報配信システムの構成図である。
【図１４】実施の形態３にかかる情報配信システムの構成図である。
【図１５】実施の形態４にかかる配信サーバが送信するテキスト情報を示す図である。
【図１６】実施の形態４にかかるサービス例を示す図である。
【図１７】実施の形態４にかかる配信サーバが送信するテキスト情報を示す図である。
【図１８】実施の形態５にかかる情報配信システムの構成図である。
【図１９】実施の形態５にかかる情報配信システムの構成図である。
【発明を実施するための形態】
【００１５】  （実施の形態１）  以下、図面を参照して本発明の実施の形態について説明する。はじめに、図１を用いて本発明の実施の形態１にかかる情報配信システムの構成例について説明する。図１の情報配信システムは、配信サーバ１０及び通信端末４０を有している。配信サーバ１０は、ネットワークを介して通信端末４０へ情報配信を行う。さらに、通信端末４０は、配信サーバ１０から配信された情報を出力する。
【００１６】  ネットワークは、移動通信ネットワークであってもよく、固定通信を行うために用いられるネットワークであってもよい。移動通信ネットワークは、例えば、３ＧＰＰ（3rd Generation Partnership Project）において規定されているネットワークであってもよく、その他の標準化機関において定められているネットワークであってもよい。また、移動通信ネットワークは、無線ＬＡＮ（Local Area Network）等であってもよい。
【００１７】  配信サーバ１０は、通信端末４０において出力させる出力情報を構成する複数の語句を抽出し、複数の語句を識別する複数の語句識別情報を含むテキスト情報を通信端末４０へ送信する。
【００１８】  通信端末４０において出力させる出力情報とは、例えば、通信端末４０のスピーカ等を介して出力される音声情報であってもよく、通信端末４０のディスプレイ等に出力されるテキスト情報、画像情報もしくは動画情報等であってもよい。出力情報を構成する複数の語句は、例えば、文章を構成する単語であってもよい。語句識別情報は、単語を一意に識別するＩＤ等の識別情報であってもよい。例えば、語句識別情報は、各単語に関連づけられた番号情報等であってもよい。
【００１９】  通信端末４０は、配信サーバ１０から送信されたテキスト情報に含まれる語句識別情報を抽出し、語句識別情報に対応する語句を組み合わせて生成された出力情報を出力する。例えば、出力情報が音声情報である場合、語句識別情報に対応する語句は、語句を読み上げた音声ファイルであってもよい。もしくは、出力情報が文章情報である場合、語句識別情報に対応する語句は、文字情報であってもよい。例えば、通信端末４０は、語句識別情報に対応する語句を組み合わせて文章情報を生成し、文章情報を音声情報もしくは画像表示情報等として出力する。
【００２０】  また、通信端末４０が、語句識別情報と語句とを組み合わせたデータベースを有してもよく、通信端末４０とは異なる外部サーバ等がデータベースを有してもよい。通信端末４０は、データベースに格納されている語句に関する情報を抽出して、出力情報を生成する。
【００２１】  以上説明したように、図１の情報配信システムを用いることによって、配信サーバ１０は、通信端末４０において出力される情報そのものを送信せずに、通信端末４０において出力される情報を構成する語句の識別情報を送信する。例えば、通信端末４０において音声情報を出力させる場合に、配信サーバ１０は、音声ファイルのかわりに音声ファイルを識別する語句識別情報をテキスト情報として送信する。このようにすることによって、配信サーバ１０は、通信端末４０において出力される情報そのものを送信する場合と比較して、送信する情報量を少なくすることができる。これより、配信サーバ１０は、通信端末４０において出力される情報の情報量よりも少ない情報をネットワークを介して通信端末４０へ送信することができるため、少ない情報量を用いて効率的に情報配信を行うことができる。
【００２２】  （実施の形態２）  続いて、図２を用いて本発明の実施の形態２にかかる情報配信システムの構成例について説明する。図２は、ＵＥへブロードキャスト通信を用いて情報配信を行うための構成例を示している。具体的に、図２の情報配信システムは、３ＧＰＰにおいて定められているＣＢＳを用いるためのネットワーク構成例を示している。
【００２３】  本図のネットワークは、ＵＥ（User Equipment）４１、ＮｏｄｅＢ３１、ｅＮｏｄｅＢ３２、ＢＳＣ（Base Station Controller）５１、ＲＮＣ（Radio Network Controller）５２、ＭＭＥ（Mobility Management Entity）５３、ＣＢＣ（Cell Broadcast Center）２１及び配信サーバ１０を有している。
【００２４】  ＵＥ４１は、移動通信装置である。ＮｏｄｅＢ３１及びｅＮｏｄｅＢ３２は、基地局装置であり、特にｅＮｏｄｅＢ３２は、ＬＴＥにおいて用いられる基地局装置である。ＭＭＥ５３は、主にＵＥ４１の移動管理を行う。ＢＳＣ５１及びＲＮＣ５２は、ＮｏｄｅＢ３１を制御する装置である。ＣＢＣ２１は、セルブロードキャストを実行する際に用いられる装置である。配信サーバ１０は、ＣＢＣ２１へ配信情報を送信する。
【００２５】  また、本図に示しているＵｍ、Ｕｕ、ＬＴＥ−Ｕｕ、Ｇｂ、Ｉｕｂ、ＣＢＣ−ＢＳＣ、Ｉｕ−ＢＣ、Ｓ１−ＭＭＥ及びＳＢｃは、それぞれ装置間のインタフェース名称を示している。
【００２６】  続いて、図３を用いて本発明の実施の形態２にかかる配信サーバ１０の構成例について説明する。配信サーバ１０は、語句ＤＢ１２及び通知文書作成部１４を有している。ここで、図４を用いて語句ＤＢ１２が保持する情報を説明する。例えば、語句ＤＢ１２は、語句識別情報として、語句番号を用いており、語句番号と語句とを関連付けて管理している。例えば、語句１番は、定型文１と関連づけられている。定型文とは、ＵＥ４１において出力される文章情報である。さらに、語句１９番は、ＸＸ高速道路、との単語と関連づけられている。その他の語句番号についても同様に、ある単語と関連づけて関連付けられている。
【００２７】  図３に戻り、通知文書作成部１４は、語句ＤＢ１２から語句番号を抽出し、ＵＥ４１において出力される出力情報を、語句番号を含むテキスト情報として作成する。ここで、図５を用いて通知文書作成部１４が作成するテキスト情報について説明する。
【００２８】  図５には、配信サーバ１０が、文章１に関する情報をＵＥ４１に出力させることを示している。文章１は、ベース情報及び組み込み情報を用いて構成される。ベース情報は、例えば、定型文を示している。さらに、定型文には、複数の組み込み情報が挿入される。例えば、図５は、語句１番の定型文１の組み込み１の位置に、語句１９番に関連付けられている語句を挿入し、組み込み２の位置に、語句２００番に関連付けられている語句を挿入し、組み込み３の位置に語句４０１０番に関連付けられている語句を挿入することを示している。
【００２９】  通知文書作成部１４は、生成したテキスト情報をＣＢＣ２１を介してＵＥ４１へ配信する。
【００３０】  続いて、図６を用いて本発明の実施の形態１にかかるＵＥ４１の構成例について説明する。図６は、音声情報を出力するＵＥ４１の構成例を示している。ＵＥ４１は、語句情報受信部４２、音声データ抽出部４３、語句音源ＤＢ４４、音声データ合成部４５及び音声通知部４６を有している。
【００３１】  語句情報受信部４２は、ネットワークを介して配信サーバ１０から配信されたテキスト情報を受信する。語句情報受信部４２は、受信したテキスト情報に含まれるベース情報に対応する語句番号、組み込み情報に対応する語句番号に関する情報を音声データ抽出部４３へ出力する。
【００３２】  音声データ抽出部４３は、語句音源ＤＢ４４から、語句情報受信部４２から出力された語句番号に関連づけられている語句の音声ファイルを取得する。ここで、図７を用いて語句音源ＤＢ４４が保持する情報について説明する。例えば、音声データ抽出部４３は、語句１番に対応する音声ファイルとして、ファイル１を管理している。さらに、音声データ抽出部４３は、語句１９番に対応する音声ファイルとしてファイル２を管理している。その他の語句番号についても同様に、音声ファイルを関連づけて管理している。
【００３３】  ここでは、音声データ抽出部４３は、図５に示されるテキスト情報を取得した場合に、語句１番、語句１９番、語句２００番及び語句４０１０番に対応するそれぞれの音声ファイルを語句音源ＤＢ４４から抽出する。音声データ抽出部４３は、抽出した音声ファイルを音声データ合成部４５へ出力する。
【００３４】  音声データ合成部４５は、音声データ抽出部４３から出力された音声ファイルを合成し、出力情報を生成する。例えば、図８に示すように、音声データ合成部４５は、ベース情報として抽出した語句１番の定型文に含まれる組み込みに、語句１９番、語句２００番及び語句４０１０番に対応するそれぞれの音声ファイルを挿入する。音声データ合成部４５は、このようにして生成した出力情報を音声通知部４６へ出力する。音声通知部４６は、音声データ合成部４５から出力された出力情報をスピーカ等を介して音声情報として出力する。
【００３５】  続いて、図９を用いて、具体的に３ＧＰＰにおいて規定されているネットワークを用いた場合における処理の流れについて説明する。図９は、Ｅ−ＵＴＲＡＮを用いた場合の処理の流れを示している。図９におけるＣＢＥは、同報配信を要求する装置であり、例えば、配信サーバ１０であってもよい。
【００３６】  はじめに、ＣＢＥは、同報配信の実行を要求するために、ＣＢＣへEmergency Broadcast Requestメッセージを送信する（Ｓ５１）。ＣＢＥは、Emergency Broadcast Requestメッセージに、ＵＥ４１において情報を出力させるために、語句番号を用いて構成したテキスト情報を含めて送信する。次に、ＣＢＣは、ＭＭＥへWrite-Replace Warning Requestメッセージを送信する（Ｓ５２）。ＭＭＥは、Write-Replace Warning Requestメッセージに対する応答メッセージとしてＣＢＣへWrite-Replace Warning Confirmメッセージを送信する（Ｓ５３）。さらに、ＣＢＣは、Emergency Broadcast Requestメッセージに対する応答メッセージとして、Emergency Broadcast Responseメッセージを送信する（Ｓ５４）。
【００３７】  次に、ＭＭＥは、ＣＢＣから送信されたWrite-Replace Warning RequestメッセージをｅＮＢへ送信する（Ｓ５５）。次に、ｅＮＢは、Cell Broadcast deliveryメッセージをＵＥへ送信する（Ｓ５６）。次に、ｅＮＢは、Cell Broadcast deliveryメッセージを送信した後、Write-Replace Warning ResponseメッセージをＭＭＥへ送信する（Ｓ５７）。
【００３８】  ステップＳ５６において、ＵＥは、Cell Broadcast deliveryメッセージを受信すると、出力情報として音声情報を生成し、スピーカ等を介して音声情報を出力する。
【００３９】  続いて、図１０を用いて、３ＧＰＰにおいて規定されている他のネットワークを用いた場合における処理の流れについて説明する。図１０は、ＵＭＴＳを用いた場合の処理の流れを示している。ＮｏｄｅＢは、ＵＭＴＳにおいて用いられる基地局である。また、ＲＮＣ（Radio Network Controller）は、ＮｏｄｅＢを集約する装置である。
【００４０】  はじめに、ＣＢＥは、同報配信の実行を要求するために、ＣＢＣへInformationメッセージを送信する（Ｓ６１）。ＣＢＥは、Informationメッセージに、ＵＥ４１において情報を出力させるために、語句番号を用いて構成したテキスト情報を含めて送信する。次に、ＣＢＣは、ＲＮＣへWrite-Replaceメッセージを送信する（Ｓ６２）。
【００４１】  次に、ＲＮＣは、Write-Replaceメッセージを受け取ると、ＮｏｄｅＢへBroadcast Requestメッセージを送信する（Ｓ６３）。ＲＮＣは、Write-Replaceメッセージを受け取ると、Cell-Listに、配下のＮｏｄｅＢが形成するセルに関するセルＩＤが含まれているか否かを判定する。ＲＮＣは、配下のＮｏｄｅＢが形成するセルに関するセルＩＤが含まれている場合、Cell-Listにおいて指定されたCBS-Message-Information-Page nをＵＥへ送信するために、Broadcast RequestメッセージをＮｏｄｅＢへ送信する。
【００４２】  次に、Broadcast Requestメッセージを受信したＮｏｄｅＢは、Broadcast Informationメッセージ（Ｓ６４）、Pagingメッセージ（Ｓ６５）及びPrimary notification with securityメッセージ（Ｓ６６）を、ＵＥへ送信する。また、ＲＮＣは、ステップＳ６３においてBroadcast Requestメッセージを送信した後に、ＣＢＣへReport-Successメッセージを送信する（Ｓ６７）。ＣＢＣは、Report-Successメッセージを受信すると、ＣＢＥへ、Ａｃｋメッセージを送信する（Ｓ６８）。
【００４３】  続いて、図１１を用いて本発明の実施の形態２にかかる具体的なサービス例について説明する。図１１の六角形にて示されるエリアは、基地局が形成するセルを示している。さらに、セル上には、ＸＸ高速道路が配置されていることを示している。ここで、ＵＥ−Ａは、通信端末を保持するユーザが乗車している車両もしくは通信機能を有する車両である。本図の例において、配信サーバ１０は、ＸＸ高速道路を走行するＵＥ−Ａに対してテキスト情報を配信する。さらに、テキスト情報を受信したＵＥ−Ａは、テキスト情報に含まれる語句番号に対応する音声ファイルを合成し、ＵＥ−Ａを運転するドライバーに対して渋滞情報等を出力する。ここで、配信サーバ１０は、組み込みに挿入する情報を変更することによって、例えば、異なる場所を走行する車両に対して、それぞれ適切な事故情報もしくは渋滞情報等を配信することができる。
【００４４】  以上説明したように、本発明の実施の形態２にかかる情報配信システムを用いることによって、３ＧＰＰにおいて規定されているＣＢＳを用いて、ＵＥ４１において出力される出力情報に関して語句番号を用いて構成したテキスト情報を含めて送信することができる。また、上記の説明においては、ＣＢＳを用いた場合のネットワークの構成について説明したが、マルチキャストシステムとして、ＭＢＭＳが用いられてもよい。
【００４５】  ここで、図１２を用いて、３ＧＰＰにおいて規定されているＭＢＭＳを実現するために用いられるネットワークの構成例について説明する。本図のネットワークは、ＵＥ１２１、ＭＭＥ１２２、ＳＧＳＮ１２３、ＭＢＭＳ−ＧＷ１２４、ＰＤＮ−ＧＷ１２５、Ｖ−ＢＭＳＣ（Broadcast Multicast Service Center）１２６、Ｈ−ＢＭＳＣ１２８及び配信装置１２９を有している。ＭＢＭＳ−ＧＷ１２４は、Ｅ−ＵＴＲＡＮ及びＵＴＲＡＮを介してＵＥへデータを送信する。また、ＵＥ１２１、ＭＭＥ１２２、ＳＧＳＮ１２３、ＭＢＭＳ−ＧＷ１２４、ＰＤＮ−ＧＷ１２５、Ｖ−ＢＭＳＣ１２６及びＨ−ＢＭＳＣ１２８を有するネットワークは、３ＧＰＰにおいて規定されているネットワークとして既に知られていることから、詳細な説明を省略する。
【００４６】  配信装置１２９は、Ｈ−ＢＭＳＣ１２８へ配信情報を送信する。ＢＭＳＣは、ＭＢＭＳにて伝送するコンテンツを格納する装置である。また、ＭＢＭＳ−ＧＷ１２４は、Ｈ−ＢＭＳＣ１２８及びＶ−ＢＭＳＣ１２６を介して送信された配信情報をＩＰマルチキャストを用いて送信する。
【００４７】  また、本図に示しているＥ−ＵＴＲＡＮ  Ｕｕ、Ｕｕ、Ｍ３、Ｍ１、Ｉｕ、Ｓｍ、Ｓｎ、ＳＧｍｂ、ＳＧｉ−ｍｂ、ＳＧｉ、ＳＧｉ−ｍｂ、Ｍｚ及びＴｍｂは、それぞれ装置間のインタフェース名称を示している。
【００４８】  さらに、上記においては、セルブロードキャストシステム、もしくは、マルチキャストシステムを実行するために用いられるネットワークの構成例について説明したが、ユニキャスト通信を実行するネットワークが用いられてもよい。
【００４９】  ここで、図１３を用いてユニキャスト通信を行うネットワークの構成例について説明する。本図の情報配信システムは、３ＧＰＰにおいて規定されたネットワークを用いてユニキャスト通信を行うシステムである。本図の情報配信システムは、配信装置１０、Packet Data Network Gateway（ＰＧＷ）６１、Serving Gateway（ＳＧＷ）６２、ｅＮＢ６３及びＵＥ６４を有している。
【００５０】  ＰＧＷ６１は、ＰＧＷ６１、ＳＧＷ６２及びｅＮＢ６３によって構成される移動通信ネットワークとは異なる外部ネットワークに配置された装置と通信を行うゲートウェイ装置である。ＰＧＷ６１は、外部ネットワークに配置された装置から送信されたデータをＳＧＷ６２及びｅＮＢ６３を介してＵＥ６４へ送信する。ＳＧＷ６２は、ＰＧＷ６１とｅＮＢ６３との間において送受信されるデータを中継する。
【００５１】  （実施の形態３）  続いて、図１４を用いて本発明の実施の形態３にかかる情報配信システムの構成例について説明する。図１４は、図６において説明した音声データ抽出部４３、語句音源ＤＢ４４及び音声データ合成部４５が、ＵＥ７１とは異なる音源管理サーバ８１に備えられる構成を示している。本図は、音声データ抽出部４３、語句音源ＤＢ４４及び音声データ合成部４５を有する音源管理サーバ８１と、語句情報受信部４２及び音声通知部４６を有するＵＥ７１との構成を示している。
【００５２】  このようにして、ＵＥ７１とは異なる装置である音源管理サーバ８１が語句音源ＤＢ４４を有し、ＵＥ７１は、音源管理サーバ８１から音声ファイルを取得するようにしてもよい。ここで、ＵＥ７１と音源管理サーバ８１とは、無線通信回線もしくは有線通信回線を用いたネットワークを介して接続されてもよい。無線通信回線は、例えば、移動通信ネットワークでもよく、無線ＬＡＮが用いられてもよい。有線通信回線は、例えば、光通信回線が用いられてもよい。
【００５３】  もしくは、ＵＥ７１は、音源管理サーバ８１から取得した音声ファイルをメモリ等に保持しておき、自装置において保持していない音声ファイルのみを音源管理サーバ８１から取得するようにしてもよい。
【００５４】  もしくは、ＵＥ７１は、語句音源ＤＢ４４が管理する音声ファイルの一部の音声ファイルを管理するデータベースを有し、自装置のデータベースが保持していない音声ファイルのみを音源管理サーバ８１から取得するようにしてもよい。
【００５５】  以上説明したように、本発明の実施の形態３にかかるＵＥ７１を用いることにより、ＵＥ７１は、自装置とは異なる装置である音源管理サーバ８１が有する語句音源ＤＢ４４を利用することができる。そのため、ＵＥ７１は、語句音源ＤＢ４４を保持するためのメモリ容量を確保する必要がなくなる。また、一般的に、音源管理サーバ８１は、ＵＥ４１よりも記憶容量が多いため、ＵＥ７１が語句音源ＤＢ４４を保持する場合と比較して、多くの音声ファイルを保持することができる。そのため、ＵＥ７１が出力することができる音声情報も増加することとなり、配信サーバ１０は、ＵＥ７１が語句音源ＤＢ４４を保持する場合と比較して、多様な情報を送信することができる。
【００５６】  （実施の形態４）  続いて、図１５を用いて配信サーバ１０が生成するテキスト情報の異なる例について説明する。本図においては、１つのテキスト情報に、複数の文章情報が含まれる例を示している。さらに、それぞれの文章情報には、受理すべき端末が指定されてもよい。
【００５７】  ＵＥは、配信サーバ１０から送信されたテキスト情報を受信した場合、受理すべき端末として指定された条件と、自装置とが一致するか否かに応じて、音声通知処理を実行するか否かを判定してもよい。
【００５８】  例えば、図１５には、文章１に関する情報を受理すべき端末は、通常ユーザとし、文章２に関する情報を受理すべき端末は、優先ユーザとしている例が示されている。通常ユーザは、例えば、配信エリアに在圏する全てのＵＥであり、優先ユーザは、例えば、配信エリアに在圏するＵＥのうち、ＵＥの契約時に優先ユーザとしてオプション契約を結んだＵＥであってもよい。
【００５９】  例えば、語句情報受信部４２は、配信サーバ１０から配信されたテキスト情報を受信すると、テキスト情報の中の受理端末の欄に指定されている情報を抽出する。語句情報受信部４２は、受理端末の欄に指定されている条件と、自装置とが一致する場合に、一致する文章情報に設定されているベース情報及び組み込み情報に対応する語句の音声ファイルを抽出し、音声情報を生成する。語句情報受信部４２は、受理端末の欄に指定されている条件と、自装置とが一致しない場合、受信したテキスト情報を廃棄してもよい。
【００６０】  また、受理すべき端末の指定は、ＵＥのＩＤを直接指定してもよい。さらに、受理すべき端末の指定として、複数のＵＥにおいて同一のＩＤを使用するグループＩＤが用いられてもよい。また、受理すべき端末の指定は、端末の移動特性を用いて指定してもよい。移動特性とは、例えば、ＧＰＳ情報、ジャイロもしくは加速度センサ等を用いた情報、在圏するセルＩＤの情報等を用いて定められるＵＥの特性である。
【００６１】  続いて、図１６を用いて本発明の実施の形態４にかかる具体的なサービス例について説明する。図１６の六角形にて示されるエリアは、基地局が形成するセルを示している。さらに、セル上には、ＸＸ高速道路が配置されていることを示している。ここで、ＵＥ−Ａ及びＵＥ−Ｂは、通信端末を保持するユーザが乗車している車両もしくは通信機能を有する車両である。ＵＥ−Ａは、例えば上り車線を走行する車両であり、ＵＥ−Ｂは、下り車線を走行する車両であってもよい。
【００６２】  本図の例において、配信サーバ１０は、ＸＸ高速道路を走行するＵＥ−Ａ及びＵＥ−Ｂに対してテキスト情報を配信する。例えば、配信サーバ１０は、上り車線を走行する車両と、下り車線を走行する車両とに対して、異なる情報を配信してもよい。
【００６３】  例えば、配信サーバ１０は、受理すべき端末の欄に、上り車線走行車両もしくは下り車線走行車両を指定してもよい。また、受理すべき端末が指定されたテキスト情報を受信したＵＥ−Ａ及びＵＥ−Ｂは、自装置が有する加速度センサ及びジャイロセンサ等のセンサ装置を用いて、自装置の走行する方向を検出し、自装置が上り車線を走行しているか下り車線を走行しているかを特定してもよい。ＵＥ−Ａ及びＵＥ−Ｂは、それぞれ受理端末の欄に指定されている条件と自装置とが一致する文章情報を抽出し、抽出した文章情報について音声通知処理を実行する。
【００６４】  受理制御後に、それぞれの受理条件にあった文章の作成および読み上げを行う実施の形態４では、図１５のように文章単位に受理端末の条件を設定するだけでなく、１つの文章の追加文章に受理端末の条件を設定することも可能であること。例えば図１７の例においては、文章１の末尾に、追加文章の作成および読み上げを指示するベースと組込み、あるいは組込みだけを受理端末条件付で指定してもよい。
【００６５】  図１７の例においては、全ユーザは語句１番に４０１０番までを組み込んだ文章を出力し、優先ユーザは全ユーザが出力する文章に加えて語句５番に７５０番を組み込んだ文章を追加で出力する。
【００６６】  以上説明したように、本発明の実施の形態４にかかるテキスト情報を用いることによって、配信サーバ１０は、全てのＵＥに同一の情報を配信し、ＵＥ毎に異なる情報を出力させることができる。そのため、セル内に在圏する複数のＵＥに対して同一の情報を配信することを前提とするＣＢＳを用いた場合においても、配信サーバ１０は、セル内に在圏する複数のＵＥの状態等に応じて適切な情報を配信することができる。
【００６７】  ここで、上記において、ＵＥ毎に異なる内容の情報を出力する例について説明したが、ＵＥ毎に同じ内容の情報を、異なる言語を用いて出力するようにしてもよい。例えば、語句音源ＤＢ４４は、一つの語句に対して、異なる複数の言語の音声ファイルを管理していてもよい。
【００６８】  例えば、ＵＥが日本語の出力を要望する場合、ＵＥは、語句音源ＤＢ４４から日本語の音声ファイル等を取得してもよい。このように、語句音源ＤＢ４４が複数の言語に対応する音声ファイルを保持することによって、同一内容の文章情報を、異なる言語を用いて出力することができる。
【００６９】  （実施の形態５）  続いて、図１８を用いて本発明の実施の形態５にかかる情報配信システムの構成例について説明する。図１８の情報配信システムは、配信情報生成サーバ２００、配信サーバ１０及び通信端末４０を有している。また、配信サーバ１０は、移動通信事業者が管理する移動通信ネットワーク内に配置されている。
【００７０】  配信情報生成サーバ２００は、通信端末４０に出力させる出力情報を生成する。例えば、通信端末４０に音声情報を出力させる場合、配信情報生成サーバ２００は、音声情報を生成する。配信情報生成サーバ２００は、生成した音声情報を配信サーバ１０へ送信する。
【００７１】  配信サーバ１０は、送信された音声情報を解析し、音声情報に含まれるベース情報及び組み込み情報を抽出する。さらに、配信サーバ１０は、抽出したベース情報及び組み込み情報に対応する語句識別情報を含むテキスト情報を生成し、生成したテキスト情報を通信端末４０へ送信する。このようにして、語句識別情報を含むテキスト情報を生成する装置は、移動通信ネットワーク内に配置されるサーバ装置等であってもよい。また、語句識別情報を含むテキスト情報を生成する装置は、固定通信事業者が管理するネットワーク内に配置されるサーバ装置であってもよい。
【００７２】  このような構成にすることによって、情報配信を要望する事業者等は、語句ＤＢ等を有する必要がなく、ＵＥに出力させたい出力情報をそのまま配信サーバ１０へ送信すればよい。そのため、情報配信を要望する事業者は、語句識別情報を用いた情報配信システムに容易に対応することができる。
【００７３】  また、語句識別情報を含むテキスト情報を生成する装置は、通信事業者が管理するネットワーク内に配置される他に、図１９に示すように、アプリケーションサービスプロバイダ等が管理するサービスプラットフォーム内に配置されてもよい。このようにして、サービスプラットフォーム内に配置された配信サーバ１０が、複数の配信情報生成サーバ２００を集約して、複数の配信情報生成サーバ２００から送信された音声情報等を語句識別情報を用いたテキスト情報へ変換してもよい。
【００７４】  上述の実施の形態では、本発明をハードウェアの構成として説明したが、本発明は、これに限定されるものではない。本発明は、配信サーバにおける処理を、ＣＰＵ（Central Processing Unit）にコンピュータプログラムを実行させることにより実現することも可能である。
【００７５】  上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７６】  なお、本発明は上記実施の形態に限られたものではなく、趣旨を逸脱しない範囲で適宜変更することが可能である。例えば、配信装置１０、１１８及び１２８において実現される機能は、ＣＢＣ３１に実装されてもよい。もしくは、配信装置１０、１１８及び１２８において実現される機能は、３ＧＰＰにおいて規定されているＭＴＣ−ＩＷＦ又はＳＣＳ等において実装されてもよい。もしくは、配信装置１０、１１８及び１２８において実現される機能は、サービス事業者が管理するサービスプラットフォームもしくはサービス事業者が管理するサーバ装置において実装されてもよい。もしくは、配信装置１０、１１８及び１２８において実現される機能は、通信事業者が管理するノード装置において実装されてもよい。
【００７７】  以上、実施の形態を参照して本願発明を説明したが、本願発明は上記によって限定されるものではない。本願発明の構成や詳細には、発明のスコープ内で当業者が理解し得る様々な変更をすることができる。
【００７８】  この出願は、２０１３年７月２３日に出願された日本出願特願２０１３−１５２５８３を基礎とする優先権を主張し、その開示の全てをここに取り込む。
【符号の説明】
【００７９】  １０  配信サーバ  １２  語句ＤＢ  １４  通知文書作成部  ２１  ＣＢＣ  ３１  ＮｏｄｅＢ  ３２  ｅＮｏｄｅＢ  ４０  通信端末  ４１  ＵＥ  ４２  語句情報受信部  ４３  音声データ抽出部  ４４  語句音源ＤＢ  ４５  音声データ合成部  ４６  音声通知部  ５１  ＢＳＣ  ５２  ＲＮＣ  ５３  ＭＭＥ  ６１  ＰＧＷ  ６２  ＳＧＷ  ６３  ｅＮＢ  ６４  ＵＥ  ７１  ＵＥ  ７２  語句情報受信部  ７３  音声通知部  ８１  音源管理サーバ  ８２  音声データ抽出部  ８３  語句音源ＤＢ  ８４  音声データ合成部  ２００  配信情報生成サーバ
【図１】
2015011873.tif 000003
【図２】
2015011873.tif 000004
【図３】
2015011873.tif 000005
【図４】
2015011873.tif 000006
【図５】
2015011873.tif 000007
【図６】
2015011873.tif 000008
【図７】
2015011873.tif 000009
【図８】
2015011873.tif 000010
【図９】
2015011873.tif 000011
【図１０】
2015011873.tif 000012
【図１１】
2015011873.tif 000013
【図１２】
2015011873.tif 000014
【図１３】
2015011873.tif 000015
【図１４】
2015011873.tif 000016
【図１５】
2015011873.tif 000017
【図１６】
2015011873.tif 000018
【図１７】
2015011873.tif 000019
【図１８】
2015011873.tif 000020
【図１９】
2015011873.tif 000021
【手続補正書】
【提出日】平成27年11月9日(2015.11.9)
【手続補正１】
【補正対象書類名】特許請求の範囲
【補正対象項目名】請求項２４
【補正方法】変更
【補正の内容】
【請求項２４】
通信端末へ情報配信を行うコンピュータに実行させるプログラムが格納された非一時的なコンピュータ可読媒体であって、
前記通信端末において出力させる出力情報を構成する複数の語句を抽出するステップと、
前記複数の語句を識別する複数の語句識別情報を含むテキスト情報を前記通信端末へ送信して前記通信端末において、前記複数の誤記識別情報に対応する前記語句を組み合わせて生成された前記出力情報を出力させるステップと、をコンピュータに実行させるプログラム。
【手続補正２】
【補正対象書類名】特許請求の範囲
【補正対象項目名】請求項２５
【補正方法】変更
【補正の内容】
【請求項２５】
情報配信を行う配信サーバから配信された情報を出力するコンピュータに実行させるプログラムが格納された非一時的なコンピュータ可読媒体であって、
前記配信サーバから送信された複数の語句を識別する複数の語句識別情報を含むテキスト情報を受信するステップと、
前記テキスト情報に含まれる前記語句識別情報を抽出するステップと、
前記語句識別情報に対応する前記語句を組み合わせて生成された出力情報を出力するステップと、をコンピュータに実行させるプログラム。
【国際調査報告】
2015011873.tif 000022
2015011873.tif 000023
2015011873.tif 000024
2015011873.tif 000025